(57)【特許請求の範囲】
【請求項１】
無線回線のパスコストの変更処理を実施する契機を指示するモードとして、前記無線回線帯域でのデータの廃棄を契機にしてパスコストを変更するトラフィック切替モードと、前記無線回線の帯域変化を契機にしてパスコストを変更する帯域切替モードとの、いずれか１つのモードを設定するモード設定手段と、
前記トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段と、
前記帯域切替モード時に無線帯域が変化し、現在のパスコストと所定のパスコストとの値を比較し、両者のパスコストの値が異なっている場合にパスコストを所定の値に変更させる第２のパスコスト変更手段と
を備えるデータ通信システム。
【請求項２】
前記第１のパスコスト変更手段は、前記無線回線帯域が所定の値に復帰した時には、前記変更したパスコストを前記所定の値に変更させる
請求項１に記載のデータ通信システム。
【請求項３】
前記第２のパスコスト変更手段は、前記無線帯域が減少し、所定の最低補償帯域よりも小さくなった場合に、パスコストを前記所定の値に変更させる
請求項１に記載のデータ通信システム。
【請求項４】
前記第２のパスコスト変更手段は、前記無線帯域が増加し、所定の復旧帯域よりも大きくなった場合に、パスコストを前記所定の値に変更させる
請求項１に記載のデータ通信システム。
【請求項５】
無線回線のパスコストの変更処理を実施する契機を指示するモードとして、前記無線回線帯域でのデータの廃棄を契機にしてパスコストを変更するトラフィック切替モードと、前記無線回線の帯域変化を契機にしてパスコストを変更する帯域切替モードとの、いずれか１つのモードを設定するモード設定手段と、
前記トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段と、
前記帯域切替モード時に無線帯域が変化し、現在のパスコストと所定のパスコストとの値を比較し、両者のパスコストの値が異なっている場合にパスコストを所定の値に変更させる第２のパスコスト変更手段と
を備えるデータ通信装置。
【請求項６】
無線回線のパスコストの変更処理を実施する契機を指示するモードとして、前記無線回線帯域でのデータの廃棄を契機にしてパスコストを変更するトラフィック切替モードと、前記無線回線の帯域変化を契機にしてパスコストを変更する帯域切替モードとの、いずれか１つのモードを設定するモード設定段階と、
前記トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更段階と、
前記帯域切替モード時に無線帯域が変化し、現在のパスコストと所定のパスコストとの値を比較し、両者のパスコストの値が異なっている場合にパスコストを所定の値に変更させる第２のパスコスト変更段階と
を備えるデータ通信装置の制御方法。
【請求項７】
コンピュータを、
無線回線のパスコストの変更処理を実施する契機を指示するモードとして、前記無線回線帯域でのデータの廃棄を契機にしてパスコストを変更するトラフィック切替モードと、前記無線回線の帯域変化を契機にしてパスコストを変更する帯域切替モードとの、いずれか１つのモードを設定するモード設定手段、
前記トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段、
前記帯域切替モード時に無線帯域が変化し、現在のパスコストと所定のパスコストとの値を比較し、両者のパスコストの値が異なっている場合にパスコストを所定の値に変更させる第２のパスコスト変更手段
として機能させるプログラム。
【請求項８】
コンピュータを、
無線回線のパスコストの変更処理を実施する契機を指示するモードとして、前記無線回線帯域でのデータの廃棄を契機にしてパスコストを変更するトラフィック切替モードと、前記無線回線の帯域変化を契機にしてパスコストを変更する帯域切替モードとの、いずれか１つのモードを設定するモード設定手段、
前記トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段、
前記帯域切替モード時に無線帯域が変化し、現在のパスコストと所定のパスコストとの値を比較し、両者のパスコストの値が異なっている場合にパスコストを所定の値に変更させる第２のパスコスト変更手段
として機能させるプログラムを記録した記録媒体。
【発明の詳細な説明】
【技術分野】
【０００１】
本発明は、データ通信システム、データ通信装置、データ通信装置の制御方法、プログラム及び記録媒体に関する。
【背景技術】
【０００２】
近年、データ通信装置には、ＡＭＲ（Ａｄａｐｔｉｎｇ  Ｍｏｄｕｌａｔｉｏｎ  Ｒａｄｉｏ）機能を備えるものが開発されている。このＡＭＲ機能を備えるデータ通信装置では、このＡＭＲ機能が動作することにより、無線区間の帯域が減少した際には、冗長な通信経路が存在していても、該装置は帯域の減少した無線経路を介してデータ通信を継続する。その理由は、データ通信装置の経路制御手段では、リンク断を契機に経路切替を行っており、帯域変化だけの場合は経路切替を行わないためである。しかしながら、無線装置については有線装置とは違って、リンク断を伴わず、動的に無線帯域が変動するだけであるため、通信経路を、無線帯域が減少した無線区間から他の冗長な帯域を有する経路に切り替えたい場合、リンク断を契機とした経路切替の他に、無線帯域が変化したことを契機とした経路切替が必要とされる。
【０００３】
また、単純に無線帯域毎にパスコストを割り当てて経路制御を行った場合、ＡＭＲ機能が動作する度に経路切替が発生してしまい、ＦＤＢ（Ｆｏｒｗａｒｄｉｎｇ  Ｄａｔａ−Ｂａｓｅ）のフラッシュによる一時的な帯域圧迫とロスの発生とが頻繁に起こる。
【０００４】
この分野の公知例技術として、例えば特許文献１には、ＭＮとＩＰ電話端末との間で、スイッチングサーバを介して、無線ＩＰネットワーク及び無線ＩＰネットワークを同時に用いて通信を実行する場合、この実行期間中に、ＭＮおよびスイッチングサーバにおいて、各無線ＩＰネットワークからの受信パケットに基づいてそれぞれの帯域状態を監視し、狭帯域化を検出する技術が開示されている。
【０００５】
また、例えば特許文献２には、接続リンクの物理帯域によってリンクのコストを自動計算する経路制御プロトコル（ＳＴＰ等）が動作する装置（ブリッジ等）が存在する網が開示されている。具体的には、この網において、ブリッジ等の間に挿入される中継装置（伝送装置やトンネル装置等）が、測定フレームを送受信することで、ＷＡＮの帯域を計測する。ＷＡＮ回線の帯域が変動したり、リンクアップ速度とＷＡＮ網内の隘路の帯域とが異なったりする場合、隘路の帯域をコストに反映して最適経路を選択することができる。
【０００６】
さらに、例えば特許文献３には、パーサが、環境記述（例えば、複数のネットワークのコスト、帯域幅、利用率、及び容量のようなネットワークの動作特性）を周期的に取得して最適パスを動的に選択することが開示されている。より具体的には、この環境記述は、スキーマ（即ち、ルールのセット）に従って解析され、解析済み環境記述（例えば、ネットワーク特性を記述するコストパラメータ）として、目的関数エバリュエータに引き渡される。目的関数エバリュエータは、要求される帯域幅及び解析済み環境記述を用いて、スイッチを制御し、前述の複数のネットワークの内から、いずれかの最適なネットワーク及びパスを選択することにより、最適パスを動的に選択する。
【先行技術文献】
【特許文献】
【０００７】
【特許文献１】特開２００８−１６７０２６号公報
【特許文献２】特開２００８−２１９６９０号公報
【特許文献３】特表２００５−５１８７１６号公報
【発明の概要】
【発明が解決しようとする課題】
【０００８】
ところで、上記背景技術で述べたデータ通信装置にあっては、前述のとおり、ＡＭＲ（Ａｄａｐｔｉｎｇ  Ｍｏｄｕｌａｔｉｏｎ  Ｒａｄｉｏ）機能を備えている。この機能を備えるデータ通信装置の場合、無線区間の帯域が減少した際には、冗長な経路が存在しているにも関わらず、この冗長な通信経路への切替を行わなず、減少した無線経路を介してデータ通信を継続する。よって、無線区間の帯域が減少した際には、実際にデータの廃棄が行われてしまうことがあるので、データ通信の効率が低下し、品質も悪化する。例えば無線装置の場合は、有線装置とは違って、リンク断を伴わず、動的に無線帯域が変動するだけである。
【０００９】
このため、通信経路を、無線帯域が減少した無線区間から他の冗長な帯域を有する経路に切り替えたい場合、リンク断を契機とした経路切替の他に、無線帯域が変化したことを契機とした経路切替が必要となる。また、単純に無線帯域毎にパスコストを割り当てて経路制御を行った場合、ＡＭＲ機能が動作する度に経路切替が発生してしまうので、ＦＤＢのフラッシュによる一時的な帯域圧迫とロスの発生とが頻繁に起こる。
【００１１】
本発明の目的は、上述した課題を解決するデータ通信システム、データ通信装置、データ通信装置の制御方法、プログラム及び記録媒体を提供することにある。
【課題を解決するための手段】
【００１３】
上記課題を解決するために、本発明の第１の形態によると、データ通信システムであって、無線回線のパスコストの変更処理を実施する契機を指示するモードとして、無線回線帯域でのデータの廃棄を契機にしてパスコストを変更するトラフィック切替モードと、無線回線の帯域変化を契機にしてパスコストを変更する帯域切替モードとの、いずれか１つのモードを設定するモード設定手段と、トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段と、帯域切替モード時に無線帯域が変化し、現在のパスコストと所定のパスコストとの値を比較し、両者のパスコストの値が異なっている場合にパスコストを所定の値に変更させる第２のパスコスト変更手段とを備える。
【００１４】
本発明の第２の形態によると、データ通信装置であって、無線回線のパスコストの変更処理を実施する契機を指示するモードとして、無線回線帯域でのデータの廃棄を契機にしてパスコストを変更するトラフィック切替モードと、無線回線の帯域変化を契機にしてパスコストを変更する帯域切替モードとの、いずれか１つのモードを設定するモード設定手段と、トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段と、帯域切替モード時に無線帯域が変化し、現在のパスコストと所定のパスコストとの値を比較し、両者のパスコストの値が異なっている場合にパスコストを所定の値に変更させる第２のパスコスト変更手段とを備える。
【００１５】
本発明の第３の形態によると、データ通信装置の制御方法であって、無線回線のパスコストの変更処理を実施する契機を指示するモードとして、無線回線帯域でのデータの廃棄を契機にしてパスコストを変更するトラフィック切替モードと、無線回線の帯域変化を契機にしてパスコストを変更する帯域切替モードとの、いずれか１つのモードを設定するモード設定段階と、トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更段階と、帯域切替モード時に無線帯域が変化し、現在のパスコストと所定のパスコストとの値を比較し、両者のパスコストの値が異なっている場合にパスコストを所定の値に変更させる第２のパスコスト変更段階とを備える。
【００１６】
本発明の第４の形態によると、プログラムであって、コンピュータを、無線回線のパスコストの変更処理を実施する契機を指示するモードとして、無線回線帯域でのデータの廃棄を契機にしてパスコストを変更するトラフィック切替モードと、無線回線の帯域変化を契機にしてパスコストを変更する帯域切替モードとの、いずれか１つのモードを設定するモード設定手段、トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段、帯域切替モード時に無線帯域が変化し、現在のパスコストと所定のパスコストとの値を比較し、両者のパスコストの値が異なっている場合にパスコストを所定の値に変更させる第２のパスコスト変更手段として機能させる。本発明の第５の形態によると、コンピュータを、無線回線のパスコストの変更処理を実施する契機を指示するモードとして、無線回線帯域でのデータの廃棄を契機にしてパスコストを変更するトラフィック切替モードと、無線回線の帯域変化を契機にしてパスコストを変更する帯域切替モードとの、いずれか１つのモードを設定するモード設定手段、トラフィック切替モード時に無線回線帯域でのデータが廃棄され、現在のパスコストと所定のパスコストとの値を比較し、両者のパスコストの値が異なっている場合にパスコストを所定の値に変更させる第１のパスコスト変更手段、帯域切替モード時に無線帯域が変化し、現在のパスコストと所定のパスコストとの値を比較し、両者のパスコストの値が異なっている場合にパスコストを所定の値に変更させる第２のパスコスト変更手段として機能させるプログラムを記録した。
【発明の効果】
【００１７】
以上説明したように、本発明のデータ通信システムによれば、トラフィック切替モードが設定された場合、例えば、天候が不安定でＡＭＲ機能が頻繁に発動した場合であっても、パスコストの変更を頻繁に行うことを防ぐことができる効果が有る。また、廃棄発生時に変更するパスコストを無線帯域毎に設定できるため、通信データ量と無線帯域に合わせたパスコスト値を柔軟に設定することもできるので、データ通信量が変動し、そのパターンが予測できないような場合においても、データの廃棄が発生した時点でパスコストを変更することができることになり、トラフィック流量の事前予測を行う必要が無くなり、さらに、パスコストの変更処理機能を低コストで実現することができる効果が有る。
また、帯域切替モードが設定された場合、パスコスト変更による経路切替の発生を最小限に抑えることができる。
【図面の簡単な説明】
【００１８】
【図１】本発明の実施形態に係るデータ通信システム及びデータ通信装置の全体構成を示す構成図である。
【図２】本発明の実施形態に係るデータ通信システムの動作順序の１例を示すタイムシーケンス図である。
【図３】本発明の実施形態に係るデータ通信装置２のトラフィック切替モード時の処理手順を示すフローチャート図である。
【図４】本発明の実施形態に係るデータ通信装置２の帯域切替モード時の処理手順を示すフローチャート図である。
【図５】トラフィック切替モード及び帯域切替モードで参照するテーブルの１設定例を示す説明図である。
【図６】複数の無線伝送区間を備えたデータ伝送システムの１構成例を示す構成図である。
【発明を実施するための形態】
【００１９】
本発明に係るデータ伝送システム及びデータ伝送装置並びにデータ伝送装置の制御方法は、ＡＭＲ（Adapting Modulation Radio）機能と連携した経路制御を用いる。
具体的には、無線帯域や無線区間への流入レートを監視する機構と、パスコスト変更に基づくパスコスト制御機構とを備えることで、無線区間の帯域変化に対応した経路選択を実現している。
即ち、前記のＡＭＲ機能と、ＳＴＰ（Spanning Tree Protocol）とを連携させてデータ通信経路制御を行うことで前述の課題を解決する。
より具体的には、無線帯域や無線区間への流入レートを監視する機構と、無線区間のパスコストを動的に変更する機構とをスイッチ内部に備える。このパスコストは、一般に、ＳＴＰなどの経路制御プロトコルでデータ通信経路の決定に用いられるものである。
【００２０】
本発明では、ＡＭＲ機能による無線区間の帯域変更と連動してパスコストを動的に変更することで、効率の良いデータ通信の経路をネットワーク状態に応じて選択し、これにより、データの廃棄を防いでいる。
また、適用するネットワークに応じてパスコストを変更するモードを備えることで、頻繁に経路切替が発生することを防いでいる。この結果、データ通信の効率低下と品質悪化とを低コストで回避することが可能となる。
以下、本発明のデータ通信システム、データ通信装置、データ通信装置の制御方法、及びコンピュータプログラムの実施形態について、図面を参照して詳細に説明する。
なお、本発明に係るコンピュータプログラムについては、本発明のデータ通信装置を動作させるためのプログラムであることから、その説明は以下の説明に含まれる。
【００２１】
図１は、本発明の実施形態に係るデータ通信システム及びデータ通信装置の全体構成を示す構成図である。
同図において、本実施形態のデータ通信システムは、各々がレイヤ２のスイッチ（Ｌ２ＳＷ）として動作する、装置１と、装置２（本発明の実施形態に係るデータ通信装置）と、装置３（本発明の実施形態に係るデータ通信装置）と、装置４と、を備える。
装置２は、ＳＷ2-8 と、回線終端2-2, 2-3と、無線回線終端2-1と、を備える。
ＳＷ2-8 は、フレームをスイッチングする機能を有するスイッチコア2-4と、パスコスト制御機構2-5と、ＳＴＰに準拠した経路選択を行う通信経路制御機構2-6と、本装置に特徴的な機能を有する無線監視機構2-7と、を備える。
【００２２】
本実施形態に係るデータ通信システムには、この他に、本実施形態のデータ通信装置を含む任意台数の通信装置を含めることができる。
装置３は、一般的なデータ通信装置であり、ＳＷ3-8と、回線終端3-2,3-3と、無線回線終端3-1と、を備える。
ＳＷ3-8は、フレームをスイッチングする機能を有するスイッチコア3-4と、パスコスト制御機構3-5と、ＳＴＰに準拠した経路選択を行う通信経路制御機構3-6と、本装置に特徴的な機能を有する無線監視機構3-7と、を備える。
また、本実施形態のデータ通信システムは、回線６〜１０と、ネットワーク２０と、を備える。
【００２３】
以下、本実施形態のデータ通信システム及びデータ通信装置が有する各構成要素について説明する。
装置２及び装置３は、Ｌ２ＳＷ（レイヤ２スイッチ）であり、レイヤ２の終端として動作することを主目的とするネットワーク中継装置となる。
装置２と装置３とは、無線通信回線である回線１０を介して互いに接続されている。
装置１は、回線６を介して装置２に接続されるＬ２ＳＷ装置であり、装置４は、回線７を介して装置３に接続されるＬ２ＳＷ装置である。
ネットワーク２０は、回線８を介して装置２と接続され、また、回線９を介して装置３と接続された無線伝送区間の冗長経路を有する通信ネットワークである。
【００２４】
無線監視機構2-7は、ＡＭＲ変更による無線帯域変化及び無線伝送区間の流入データの廃棄を検出し、パスコスト制御機構に通知する。
パスコスト制御機構（2-5,3-5）は、無線監視機構2-7から通知を受け、無線区間のパスコストを減少、若しくは増大させる。
通信経路制御機構（2-6,3-6）は、各回線のパスコストから、ネットワーク上の適切なデータ通信経路を選択する。
【００２５】
（動作の説明）
図２は、本発明の実施形態に係るデータ通信システムの動作順序の１例を示すタイムシーケンス図である。
以下、図１を参照しながら、図２のタイムシーケンス図を使用して本実施形態に係るデータ通信システムの動作順序を説明する。
図２は、具体的には、各装置の動作を上から下方向へ時間軸をとり、ＡＭＲ機能と連携した経路制御の基本動作シーケンスを示すものである。
同図において、P1、P2、P3は、装置間のフレームの流れを表している。
【００２６】
まず、装置２と装置３との間の無線区間において、ＡＭＲ機能が発動した場合の経路制御動作シーケンスについて説明する。
通常時、装置１と装置４との間で、双方向にフレームが導通している場合、回線１０（図１）の無線伝送区間を介して、それぞれ装置１、装置４へと送信される（ステップP1）。
このとき、ＡＭＲ機能により、無線帯域が減少すると（ステップA1）、装置２及び装置３の無線監視機構（2-7,3-7 ）は、パスコスト制御機構（2-5,3-5）に対してパスコスト変更を要求する。この要求を受けたパスコスト制御機構（2-5,3-5）は、無線回線ポート（2-1,3-1）のパスコストを増加させる（ステップA2及びステップA3）。
パスコストが増加したことにより、通信経路制御機構（2-6,3-6）は、ネットワーク上のパスコストを再計算し（ステップA4及びステップA5）、より適切なデータ通信経路が存在した場合、データ通信経路の切替を行う（ステップA6及びステップA7）。この例では、無線通信回線の回線１０がブロックされて、ＬＡＮ回線（回線８，９）を通るように通信経路が切り替えられる（ステップP2）。
【００２７】
その後、ＡＭＲ機能により、無線帯域が復旧すると（ステップB1）、装置２及び装置３の無線監視機構（2-7 ，3-7）は、再びパスコスト制御機構（2-5 ，3-5）にパスコスト変更を要求する。要求を受けたパスコスト制御機構は、増加していた無線回線ポート（2-1,3-1）のパスコストを減少させる（ステップB2及びステップB3）。そして通信経路制御機構（2-6,3-6）はネットワーク上のパスコストを再計算し（ステップB4及びステップB5）、データ通信経路の切替を行う（ステップB6及びステップB7）。この例では、無線回線のブロックが解除され、再び無線回線を通るように通信経路が切り替えられている（ステップP3）。
【００２８】
なお、前述の図２の説明において、装置２、装置３は、共にモード設定を行っている。ここでは、以下に説明する「帯域切替モード」に設定されているものとする。
本発明に係るデータ通信装置は、パスコストを変更する契機に関し、トラフィック切替モードと帯域切替モードとの２つのモードを有するので、以下、これらのモードについて説明する。
（１）トラフィック切替モード。
このモードでは、無線回線へ流入するトラフィックでの廃棄を契機にパスコストを変更する。
【００２９】
図３は、本発明の実施形態に係るデータ通信装置２のトラフィック切替モード時の処理手順を示すフローチャート図である。
無線監視機構（2-7,3-7）が、無線区間でデータの廃棄を検出すると、パスコスト制御機構（2-5 ，3-5）に通知する（ステップＳ１）。
パスコスト制御機構（2-5 ，3-5）は、無線帯域毎のパスコストが設定されたテーブルを参照し（ステップＳ２）、その後、現在のパスコストの値とテーブル上の現在の無線帯域におけるパスコストの値をチェックする（ステップＳ３）。
【００３０】
パスコスト制御機構（2-5 ，3-5）は、現在のパスコストの値とテーブル上のパスコストの値が異なる場合、現在のパスコストを、テーブル上の現在の無線帯域におけるパスコスト値に変更する（ステップＳ４）。また、現在のパスコストの値とテーブル上のパスコストの値が等しい場合、パスコストの変更を行わないで、処理を終了する。
無線監視機構（2-7,3-7）が、ＡＭＲ機能による無線帯域の変化を検出した場合（ステップＳ５）、引き続き、通常状態に復旧したか否かをチェックする（ステップＳ６）。
通常状態に復旧した場合、無線監視機構（2-7,3-7）は、パスコスト制御機構（2-5,3-5）に対して、パスコスト変更要求を送出し、現在のパスコストを変更させる（ステップＳ７）。また、通常状態へ復旧していない場合、パスコスト変更要求を行わないで、処理を終了する。
【００３１】
（２）帯域切替モード。
このモードでは、無線帯域の変化を契機にパスコストを変更する。
図４は、本発明の実施形態に係るデータ通信装置２の帯域切替モード時の処理手順を示すフローチャート図である。
無線監視機構（2-7,3-7）が、無線帯域の変化を検出すると（ステップＳ２１）、無線帯域が減少したか否かをチェックする（ステップＳ２２）。
無線帯域が減少した場合、さらに、無線帯域が最低保障帯域よりも小さいか否かをチェックし（ステップＳ２３）、無線帯域が最低保障帯域よりも小さい場合はステップＳ２４に移り、無線帯域が最低保障帯域よりも小さくない場合は何もしないで処理を終了する。
【００３２】
ステップＳ２４では、パスコスト制御機構が、現在のパスコストとテーブル上のパスコストの値を比較し、異なっていればステップＳ２５にて現在のパスコストを変更する。また、現在のパスコストとテーブル上のパスコストの値が一致している場合は何もしないで処理を終了する。
一方、無線帯域が増加した場合、無線帯域が復旧帯域よりも大きいか否かをチェックし（ステップＳ２６）、無線帯域が復旧帯域よりも大きい場合は、ステップＳ２７に進み、無線帯域が復旧帯域よりも大きくない場合は何もしないで処理を終了する。
ステップＳ２７では、パスコスト制御機構が、現在のパスコストとテーブル上のパスコストの値を比較し、異なっていればステップＳ２８にて現在のパスコストを変更する。また、現在のパスコストとテーブル上のパスコストの値が一致している場合は何もしないで処理を終了する。
【００３３】
図５は、トラフィック切替モード及び帯域切替モードで参照するテーブルの１設定例を示す説明図である。
同図において、テーブルT1は、トラフィック切替モードで参照するテーブルであり、無線帯域毎のパスコスト値は、保守者が設定するものである。
この例では、無線帯域が420, 360Mbpsで廃棄が発生した場合は、パスコストを10に設定する。また、この例では、無線帯域が260Mbpsまたは310Mbpsで廃棄が発生した場合は、いずれの場合もパスコストを100000に設定する。
さらに、この例では、無線帯域が200,160Mbpsで廃棄が発生した場合は、パスコストを1000000に、80Mbpsで廃棄が発生した場合はパスコストを100000000に、それぞれ変更する。
【００３４】
トラフィック切替モードでは、通信データ量が無線帯域に比べて少ない場合、すなわち廃棄が発生しない場合にはパスコストを変更しない。また、パスコストの復旧は、無線帯域が通常時の無線帯域にまで復旧しない限りは行わないようにする。
よって、天候が不安定でＡＭＲ機能が頻繁に発動した場合であっても、パスコストの変更を頻繁に行うことを防ぐことができる。その結果、経路切替時に発生するＦＤＢ（Forwarding Data-Base ）のフラッシュ回数を抑え、不必要なフラッディングを抑止し、ロスの発生を防ぐことができる。
また、廃棄発生時に変更するパスコストを無線帯域毎に保守者が設定できるため、通信データ量と無線帯域に合わせたパスコスト値を柔軟に設定できる。これにより、データ通信量が変動し、そのパターンが予測できない場合であっても、廃棄が発生した時点でパスコストを変更することができるため、トラフィック流量の事前予測を行う必要が無くなり、パスコストの変更処理機能を低コストで実現することができる。
【００３５】
一方、同図において、テーブルT2は、帯域切替モードで参照するテーブルであり、最低保障帯域と復旧帯域の各々についてのパスコストは、保守者が設定するものである。
この例では、最低保障帯域の帯域幅として100Mbps、復旧帯域の帯域幅として400Mbpsが設定されている。この設定により、ＡＭＲ機能の作動に起因して帯域幅が減少した際には、帯域幅が100Mbpsを下回った時に、パスコストが200000000に変更され、帯域幅が増加した際には、帯域幅が400Mbpsを上回った時に、パスコストは10に変更される。
この帯域切替モードでは、最低保障帯域と復旧帯域のパスコストのみを保守者が設定するため、パスコストの切替が最小限しか行われない。これは、図６に示すように、装置間が複数の無線伝送区間で接続された冗長構成の場合に効果を発揮するものである。
【００３６】
図６は、複数の無線伝送区間を備えたデータ伝送システムの１構成例を示す構成図である。
ＡＭＲ機能は、天候の変化によって発動するため、図６に示すようなネットワーク構成の場合、２つの無線伝送区間（回線Ａ及び回線Ｂ）において、ほぼ同時にＡＭＲ機能が発動する。
このとき、無線帯域毎にパスコスト値が設定されている場合は、回線ＡがＡＭＲ機能の作動に起因して無線帯域が変化する。
この時点で、パスコスト値を変更し、通信経路を回線Ｂに切り替えたとしても、今度は回線ＢにおいてもＡＭＲ機能が発動してパスコスト値が変更され、再び回線Ａに切り替わる、といった動作が反復して発生する可能性がある。
【００３７】
このような短時間での通信経路の複数回の切替発生を防ぐため、帯域切替モードでは、最低保障帯域と復旧帯域という２つのパスコスト変更の閾値を備えているのである。
これにより、パスコスト変更による経路切替の発生を最小限に抑えることができる。
その結果、経路切替時に発生するＦＤＢのフラッシュの回数を抑え、不必要なフラッディングを抑止し、ロスの発生を防ぐことができる。
また、帯域切替モードは、最低保障帯域まで経路を切り替えないといった特徴を有するため、サービスが見かけ上簡単であり、カスタマーへのサービス提供が容易となる。
この実施形態に係るデータ伝送システム及びデータ伝送装置では、リンク断の発生を伴わない無線帯域の変化に合わせて経路選択できる効果が有る。
【００３８】
また、無線帯域や無線区間への流入レートを監視して冗長経路に切り替えるか否かを判断するので、不必要な経路切替が発生しない効果が有る。
この結果、経路選択が頻繁に発生せず、ＦＤＢのフラッシュによる一時的な帯域圧迫、ロスの発生を防ぐことができる。
また、廃棄の発生を契機にパスコストを変更できるため、トラフィックの変動が予測できない場合であっても、該トラフィックに応じた経路選択を動的に実現することができる効果がある。
さらに、経路切替に独自の方式を使用するのではなく、既存の経路制御プロトコルを採用しているため、ネットワーク全体を考慮した経路選択を実現することが可能となり、既成のネットワーク上に新たに本発明の機能を導入することが容易となる効果が有る。
【００３９】
（他の実施の形態）
前述の実施の形態では、ＳＴＰによる経路制御手段を採用しているが、経路制御手段としては、この他に、パスコストに基づいた経路制御を行うＯＳＰＦ（Open Shortest Path First）を適用することもできる。
また、リンクの情報を基にして、経路検索を行うような形態の、他の経路制御プロトコルを適用することもできる。  
なお、本発明に係るデータ伝送装置の各構成要素の処理の少なくとも一部をコンピュータ制御により実行するものとし、かつ、上記処理を、図３，４のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【符号の説明】
【００４０】
１，４  装置（通信装置）
２  装置（本発明の実施形態に係るデータ通信装置）
３  装置（本発明の実施形態に係るデータ通信装置）
６〜１０  回線
2-1,3-1  無線回線終端
2-2, 2-3,3-2, 3-3  回線終端
2-4,3-4   スイッチコア
2-5,3-5  パスコスト制御機構
2-6,3-6  通信経路制御機構
2-7,3-7  無線監視機構
2-8,3-8  ＳＷ（スイッチ）
２０  ネットワーク
【図１】
0005451521.tif 000002
【図２】
0005451521.tif 000003
【図３】
0005451521.tif 000004
【図４】
0005451521.tif 000005
【図５】
0005451521.tif 000006
【図６】
0005451521.tif 000007